(57)【要約】【課題】簡素なシステム構成で処方箋受付から会計までの調剤業務を円滑に進める。【解決手段】薬局データ処理装置１０において入力された処方箋データは携帯端末３０ａ〜３０ｃに送信され、携帯端末３０ａ〜３０ｃにおいて処方箋データが表示される。そして、表示された処方箋データに基づいて薬剤師により服薬指導が行われ、その指導内容に応じた指導管理料金の情報が携帯端末３０ａ〜３０ｃに入力されると、当該指導管理料金の情報が薬局データ処理装置１０に送信され、薬局データ処理装置１０において調剤料金及び指導管理料金が算出される。算出された各料金情報は会計情報として携帯端末３０ａ〜３０ｃに送信され、携帯端末３０ａ〜３０ｃにおいて会計情報が表示される。【選択図】図１
2005025666.tif 000002
【特許請求の範囲】
【請求項１】
薬局における各種情報を管理する薬局データ処理装置と、携帯端末とが通信ネットワークを介して接続される薬局データ処理システムにおいて、
前記薬局データ処理装置は、
患者に処方する薬剤の処方箋データを入力する入力手段と、
前記入力された処方箋データを記憶する記憶手段と、
前記記憶された処方箋データを携帯端末に送信する送信手段と、を備え、
前記携帯端末は、
薬局データ処理装置から送信された処方箋データを受信する受信手段と、
前記受信された処方箋データを表示する表示手段と、
前記表示された処方箋データに基づいて調剤された薬剤を患者に渡す際に薬剤師によりなされた服薬指導に対する指導管理料金の情報を入力する入力手段と、
前記入力された指導管理料金の情報を薬局データ処理装置に送信する送信手段と、
を備えることを特徴とする薬局データ処理システム。
【請求項２】
前記薬局データ処理装置において、
前記携帯端末から送信された指導管理料金の情報を受信する受信手段と、
前記記憶手段に記憶された処方箋データに基づいて調剤料金を算出する算出手段と、を備え、
前記送信手段は、前記算出された調剤料金及び前記受信された指導管理料金の各料金情報を会計情報として前記携帯端末に送信し、
前記携帯端末の表示手段は、前記薬局データ処理装置から送信された会計情報を表示することを特徴とする請求項１に記載の薬局データ処理システム。
【請求項３】
前記携帯端末において、
前記入力手段は、前記薬局データ処理装置から受信された処方箋データが前記表示手段に表示される際に薬剤師の認証情報を入力し、
前記入力された薬剤師の認証情報を用いて薬剤師を認証する認証手段を備え、
前記表示手段は、前記認証手段により薬剤師が認証されると、処方箋データを表示することを特徴とする請求項１又は２に記載の薬局データ処理システム。
【請求項４】
前記携帯端末の表示手段は、指示に応じて指導管理料金に関する詳細説明を表示することを特徴とする請求項１〜３の何れか一項に記載の薬局データ処理システム。
【請求項５】
前記携帯端末において、
前記入力手段は、処方箋データに基づいて調剤を行った担当薬剤師の情報を入力するとともに、その担当薬剤師による服薬指導に対する指導管理料金、服薬指導の指導開始時間及び指導終了時間の情報を入力し、
前記送信手段は、前記入力手段により入力された担当薬剤師、指導管理料金、指導開始時間及び指導終了時間の各情報を前記薬局データ処理装置に送信し、
前記薬局データ処理装置において、
前記記憶手段は、前記携帯端末から送信された担当薬剤師、指導管理料金、指導開始時間及び指導終了時間の情報をその担当薬剤師により調剤が行われた処方箋データに対応付けて記憶し、
薬剤師毎に薬剤師が行った服薬指導に対する指導管理料金及び指導開始時間から指導終了時間までの指導時間を出力する出力手段を備えることを特徴とする請求項１〜４の何れか一項に記載の薬局データ処理システム。
【請求項６】
前記薬局データ処理装置において、
前記記憶手段は、前記入力手段により入力された処方箋データをその入力を受け付けた受付時間とともに記憶し、
前記送信手段は、前記記憶された処方箋データをその受付時間の情報とともに前記携帯端末に送信し、
前記携帯端末の表示手段は、前記薬局データ処理装置から受信された処方箋データを表示する際に、当該処方箋データとともに受付時間から現在時間までの経過時間を表示することを特徴とする請求項１〜５の何れか一項に記載の薬局データ処理システム。
【発明の詳細な説明】
【技術分野】
【０００１】
本発明は、患者に処方する薬剤の処方箋データを処理して、薬剤師による調剤及び服薬指導に対する会計処理を行う薬局データ処理システムに関する。
【背景技術】
【０００２】
医療の分野においては、医師により指示された処方箋に基づいて、薬剤師により調剤された薬剤が患者に手渡されている。従来から、薬剤師による調剤業務の負担を軽減させるために、薬局内に処方箋データや各種薬剤に関する情報を管理するホストコンピュータを設置し、このホストコンピュータから薬剤師が所望する情報を検索して薬剤師が携帯する携帯端末にダウンロードすることができるシステムが開発されている（例えば、特許文献１参照）。
【０００３】
上記システムを利用した薬局における調剤業務の流れを以下に示す。
１．処方箋データをホストコンピュータに入力。
２．処方箋データに基づいて薬剤師が調剤。
３．ホストコンピュータにおいて調剤技術料金及び薬剤料金を含む調剤料金を算出。
４．調剤された薬剤を患者に手渡す際に、薬剤師が患者に服薬指導。
５．指導後、指導内容に応じた指導管理料金を算出し、調剤料金と合わせて薬代として患者に請求。
【０００４】
薬剤師は、薬剤の調剤の他、患者に薬剤を手渡す際に薬剤に関する詳細な説明や服薬指導等の業務を行っており、薬代を患者に請求する際には、調剤料金と指導内容に応じた指導管理料金とを合わせて請求することとなっている。調剤料金は、処方箋データの入力を受け付けた時点で処方箋データに基づいてすぐに算出することができるが、指導管理料金は指導後でなければ料金に加算してはならないことが法的に義務づけられているため（指導後に指導管理料金を調剤料金に加算することを後算定という。）、従来は処方箋データを受け付けるホストコンピュータとは別に、会計用の端末が設置され、その会計用端末において指導が終了した後に調剤料金及び指導管理料金の情報を入力することにより、その合計料金を算出することとしていた。
【特許文献１】特開２００３−１０８６６７号公報
【発明の開示】
【発明が解決しようとする課題】
【０００５】
しかしながら、処方箋を受け付けるホストコンピュータとは別に会計用端末を設置しなければならないため、コストが増大するという問題点があった。また、会計用端末分の設置スペースも必要となってしまう。
【０００６】
また、調剤を行うときはホストコンピュータのもとへ、会計を行うときは会計用端末のもとへと、調剤業務の工程毎にその工程で使用する端末の設置場所に薬剤師が移動しなければならないため、作業効率が悪い。さらに、１つの薬局に薬剤師が複数人いる場合、各端末で順番が混み合い、円滑に業務を進めることができない。しかしながら、混雑解消のために複数台端末装置を設置するとシステムの大型化を招くととともに、さらにコスト高となってしまう。
【０００７】
本発明の課題は、簡素なシステム構成で処方箋受付から会計までの調剤業務を円滑に進めることができる薬局データ処理システムを提供することである。
【課題を解決するための手段】
【０００８】
請求項１に記載の発明は、
薬局における各種情報を管理する薬局データ処理装置と、携帯端末とが通信ネットワークを介して接続される薬局データ処理システムにおいて、
前記薬局データ処理装置は、
患者に処方する薬剤の処方箋データを入力する入力手段と、
前記入力された処方箋データを記憶する記憶手段と、
前記記憶された処方箋データを携帯端末に送信する送信手段と、を備え、
前記携帯端末は、
薬局データ処理装置から送信された処方箋データを受信する受信手段と、
前記受信された処方箋データを表示する表示手段と、
前記表示された処方箋データに基づいて調剤された薬剤を患者に渡す際に薬剤師によりなされた服薬指導に対する指導管理料金の情報を入力する入力手段と、
前記入力された指導管理料金の情報を薬局データ処理装置に送信する送信手段と、
を備えることを特徴とする。
【発明の効果】
【０００９】
請求項１に記載の発明によれば、薬局データ処理装置から携帯端末に処方箋データが送信され、携帯端末に入力された指導管理料金の情報が薬局データ処理装置に送信されるので、薬剤師が携帯端末を携帯して処方箋に基づく調剤及び患者に対する服薬指導を行った後、携帯端末において指導管理料金の情報を入力する簡単な操作で後算定に必要な指導管理料金の情報が薬局データ処理装置に送信され、薬局データ処理装置において指導管理料金の後算定を行うことが可能となる。従って、会計用の端末を設置することなく、簡素なシステム構成で処方箋受付から会計処理までの調剤作業を円滑に進めることができ、作業効率を向上させることができる。
【００１０】
請求項２に記載の発明によれば、薬局データ処理装置において算出された各料金の会計情報が携帯端末に表示されるので、薬剤師は移動先で容易に会計情報を確認することができる。
【００１１】
請求項３に記載の発明によれば、携帯端末において薬剤師が認証されると、処方箋データが表示されるので、処方箋の内容等、患者の個人情報が外部に漏洩することを防止することができ、薬局データ処理システムにおけるセキュリティを向上させることができる。
【００１２】
請求項４に記載の発明によれば、携帯端末において指導管理料金の詳細説明が表示されるので、薬剤師は移動先においても、指導管理料金の加算条件等の詳細な内容を容易に把握することができる。
【００１３】
請求項５に記載の発明によれば、薬剤師毎に、その薬剤師が行った服薬指導に対する指導管理料金及び指導時間が出力されるので、複数の薬剤師がいる場合でも各薬剤師による調剤業務の状況を容易に把握することができる。従って、薬剤師毎に調剤業務の管理を行うことができる。
【００１４】
請求項６に記載の発明によれば、携帯端末において処方箋データが表示される際には、その処方箋データの受付時間とともに表示されるので、薬剤師は患者の待ち時間を把握することができる。
【発明を実施するための最良の形態】
【００１５】
以下、図を参照して本発明の実施の形態を詳細に説明する。
本実施の形態では、薬局データ処理装置において入力された処方箋データを携帯端末に送信し、携帯端末において処方箋データを表示して、当該表示された処方箋データに基づいて行われた服薬指導に対し、その指導内容に応じた指導管理料金の情報が携帯端末に入力されると、当該指導管理料金の情報が薬局データ処理装置に送信され、薬局データ処理装置において調剤料金及び指導管理料金の会計処理が行われる例を説明する。
【００１６】
まず、構成を説明する。
図１に、本実施の形態における薬局データ処理システム１００のシステム構成を示す。図１に示すように、薬局データ処理システム１００は、薬局データ処理装置１０と、携帯端末３０ａ〜３０ｃとが通信ネットワークＮを介して情報の送受信が可能に接続されている。また、薬局データ処理装置１０には、プリンタ１０ａが接続されている。なお、図１には、１台の薬局データ処理装置１０、３台の携帯端末３０ａ〜３０ｃが接続された例を示したが、その設置台数は特に限定しない。
【００１７】
通信ネットワークＮは、ＬＡＮ（Local Area Network）、ＷＡＮ（Wide Area Network）、インターネット等の様々な通信形態が適用可能である。
【００１８】
以下、各構成装置について説明する。
薬局データ処理装置１０は、処方箋データ、患者に関する情報、薬剤に関する情報等、薬局内の各種情報を管理するホストコンピュータであり、携帯端末３０ａ〜３０ｃからの要求に応じて各種情報を携帯端末３０ａ〜３０ｃに送信する。
【００１９】
図２に、薬局データ処理装置１０の内部構成を示す。
図２に示すように、薬局データ処理装置１０は、制御部１１、入力部１２、表示部１３、通信部１４、ＲＡＭ（Random Access Memory）１５、記憶部１６、Ｉ／Ｆ（InterFace）１７を備えて構成され、各部はバス１８により接続されている。
【００２０】
制御部１１は、ＣＰＵ（Central Processing Unit）等から構成され、記憶部１６に格納されているシステムプログラムの他、本発明に係る処方箋入力処理プログラム（図８参照）、会計処理プログラム（図９参照）、帳票出力処理プログラム（図１３参照）等をＲＡＭ１５に展開して、当該プログラムとの協働により処理動作を統括的に制御する。
【００２１】
制御部１１は、処方箋入力処理において、入力部１２を介して処方箋データが入力されると、当該処方箋データに受付番号を付与してその受付時間の情報とともに処方箋データファイル１６４に格納する。また、受付インデックスデータを生成して受付インデックスフォルダ１５１に格納する。
【００２２】
会計処理では、処方箋データに基づき調剤料金を算出する。また、指導データファイル１６５において各処方箋データに対して携帯端末３０ａ〜３０ｃにより書き込まれた指導コードのデータを読み込み、指導管理項目テーブル１６２を参照して指導コードに応じた指導管理料金を算出する。そして、算出された調剤料金及び指導管理料金の各料金情報を会計情報として会計データファイル１６６に書き込む。すなわち、会計処理プログラムに従って制御部１１において調剤料金及び指導管理料金を算出でき、算出手段を実現することができる。
【００２３】
帳票出力処理では、記憶部１６の各ファイル１６３〜１６６からデータを読み込み、薬剤師毎に担当した患者の情報、調剤内容、服薬指導の指導内容等の作業結果をまとめた帳票データを作成し、当該帳票データをプリンタ１０ａに出力して帳票を印刷出力させる。
【００２４】
入力部１２は、数字キー、文字キー、各種機能キー等を備えたキーボードやマウス等のポインティングディバイスを備え、操作されたキーに対応する操作信号を制御部１１に出力する。なお、表示部１３と一体型のタッチパネルを備える構成としてもよい。すなわち、この入力部１２を介して処方箋データを入力することにより、入力手段を実現することができる。なお、他の入力手段として、通信部１４を介して病院の端末から送信された処方箋データを受信することにより処方箋データの入力を行うこととしてもよい。
【００２５】
表示部１３は、ＬＣＤ（Liquid Crystal Display）やＣＲＴ（Cathode Ray Tube）等から構成され、各種操作画面や制御部１１による処理結果等の各種表示情報を表示する。
【００２６】
通信部１４は、ネットワークインターフェイスカードやモデム等の通信用のインターフェイスを備えて構成され、通信ネットワークＮ上の外部機器と相互に情報の送受信を行う。例えば、携帯端末３０ａ〜３０ｃに処方箋データを送信するとともに、携帯端末３０ａ〜３０ｃから指導管理料金の情報として指導コードデータを受信する。すなわち、通信部１４により送信手段及び受信手段を実現することができる。
【００２７】
ＲＡＭ１５は、制御部１１によって実行される各種プログラム及びこれらプログラムに係るデータを一時的に記憶するワークエリアを形成する。
【００２８】
また、ＲＡＭ１５は、処方箋データの新規データの有無を携帯端末３０ａ〜３０ｃに通知するための受付インデックスフォルダ１５１及び新規に携帯端末３０ａ〜３０ｃから送信された指導管理料金の情報の有無を確認するための後算定インデックスフォルダ１５２を格納する。
【００２９】
受付インデックスフォルダ１５１は、新規に処方箋データが入力される毎に制御部１１において生成される受付インデックスデータを格納するためのフォルダであり、図３（ａ）に示すように、処方箋データを受け付けた年月日及び処方箋データに付与された受付番号からなる受付インデックスデータ（例えば、“２００３０７１５０１０００９”等のコード）が格納される。
【００３０】
後算定インデックスフォルダ１５２は、携帯端末３０ａ〜３０ｃにより指導管理料金の情報として指導コードのデータが送信されたことを示す後算定インデックスデータを格納するためのフォルダであり、図３（ｂ）に示すように、後算定を行う年月日及び後算定対象の処方箋データに付与された受付番号からなる後算定インデックスデータ（例えば、“２００３０７１５０１００１０”のコード）が格納される。
【００３１】
記憶部１６は、磁気的又は光学的記録媒体、若しくは半導体メモリで構成され、システムプログラムの他、処方箋入力処理プログラム、会計処理プログラム、帳票出力処理プログラム及び各プログラムで処理されたデータ等を記憶する。
【００３２】
また、記憶部１６は、薬剤師登録テーブル１６１、指導管理項目テーブル１６２、患者マスタファイル１６３、処方箋データファイル１６４、指導データファイル１６５、会計データファイル１６６を格納する記憶手段である。
【００３３】
以下、各テーブル及びファイルについて説明する。
薬剤師登録テーブル１６１は、薬剤師に関する各種情報が登録されたテーブルである。薬剤師登録テーブル１６１には、図４（ａ）に示すように、各薬剤師を識別するために各薬剤師に割り当てられた薬剤師コード１６１ａ（例えば、“０１”等）、薬剤師の氏名１６１ｂ（例えば、“Ｘ”等）、薬剤師を認証する際に用いられる認証情報１６１ｃ（例えば、“××××”等のパスワード）の各項目データが対応付けて格納されている。
【００３４】
指導管理項目テーブル１６２は、薬剤師による服薬指導の指導内容に応じて所定の点数（指導管理料金）が加算される指導項目についての情報を格納するためのテーブルである。指導管理項目テーブル１６２には、図４（ｂ）に示すように、指導管理料金が加算される指導項目を個々に識別するために各指導項目に割り当てられる指導コード１６２ａ（例えば、“１００１”等）、指導項目の名称１６２ｂ（例えば、“薬剤服薬歴・管理指導”等）、その指導項目に対して加算される指導管理料金を示す点数１６２ｃ（例えば、“１７点”等）の各項目データが対応付けて格納されている。
【００３５】
患者マスタファイル１６３は、患者に関する情報を格納するためのファイルである。患者マスタファイル１６３には、患者を個々に識別するために各患者に付与される患者ＩＤ１６３ａ（例えば、“Ａ１０１”等）、患者の氏名１６３ｂ（例えば、“Ａ”等）、患者の年齢１６３ｃ（例えば、“３７”歳等）、患者の性別１６３ｄ（例えば、“男”等）、患者の生年月日１６３ｅ（例えば、“１９６６．７．４”等）などの各項目データが対応付けて格納されている。
【００３６】
処方箋データファイル１６４は、入力された処方箋データを格納するためのファイルである。処方箋データファイル１６４には、図５（ｂ）に示すように、処方箋データに対して付与された受付番号１６４ａ（例えば、“０１００１０”等）、処方箋データが入力された受付時間１６４ｂ（例えば、“１３：１０”等）、処方箋が発行された患者の患者ＩＤ１６４ｃ（例えば、“Ａ１０１”等）、処方される薬剤の名称１６４ｄ（例えば、“○○錠”等）、処方される薬剤の分量１６４ｅ（例えば、“３錠”等）等の各項目データが対応付けて格納される。
【００３７】
指導データファイル１６５は、薬剤師により実施された服薬指導に関する情報（以下、指導情報という。）を格納するためのファイルである。指導データファイル１６５には、図６（ａ）に示すように、処方箋データの受付番号１６５ａ（例えば、“０１００１０”等）、指導開始時間１６５ｂ（例えば、“１３：４０”等）、指導終了時間１６５ｃ（例えば、“１３：５２”等）、処方箋データに基づく調剤及び服薬指導を担当した担当薬剤師の薬剤師コード１６５ｄ（例えば、“０１”等）、指導内容に応じて加算される指導管理料金の指導項目を示す指導コード１６５ｅ（例えば、“１００１”等）の各項目データが対応付けて格納される。
【００３８】
会計データファイル１６６は、調剤料金及び指導管理料金の各料金情報を管理するためのファイルである。調剤料金には、調剤技術料金及び薬剤自体にかかる薬剤料金が含まれ、調剤技術料金には、薬局によって予め定められている基本料金と、内服薬、外用薬等の薬剤の種類により加算される調剤種料金と、薬剤師の調剤作業（錠剤をすりつぶして粉末にする、練る等の作業）に対して加算される調剤加算料金が含まれる。各料金は通常、点数で表され、通常１点＝１０円で計算される。
【００３９】
会計データファイル１６６には、図６（ｂ）に示すように、処方箋データの受付番号１６６ａ（例えば、“１００１０”等）、調剤料金１６６ｂに含まれる調剤技術料金１６６ｃ（例えば、“１００点”等）及び薬剤料金１６６ｄ（例えば、“４００点”等）、指導管理料金１６６ｅ（例えば、“４７点”）、調剤料金及び指導管理料金の合計料金１６６ｆ（例えば、“５４７点”等）の各項目データが格納される。
【００４０】
また図示はしないが、記憶部１６には、薬剤料金の算出のために各種薬剤に加算される料金の情報や、薬剤の効用、副作用、相互作用等の薬剤に関する情報等、その他の情報を格納していることとする。
【００４１】
Ｉ／Ｆ１７は、プリンタ１０ａと接続するためのインターフェイスであり、薬局データ処理装置１０とプリンタ１０ａとの間でデータの転送速度の調整や、データ形式の変換を行い、両者のデータのやり取りを仲介する。
【００４２】
プリンタ１０ａは、薬局データ処理装置１０からＩ／Ｆ１０ａを介して入力される印刷用のデータに基づいて印刷出力を行うものである。プリンタ１０ａは、薬局データ処理装置１０の制御部１１から入力された帳票データに基づいて、薬剤師毎に指導時間、指導項目等の指導内容をまとめた帳票を印刷出力する。すなわち、プリンタ１０ａにより出力手段を実現することができる。なお、他の出力手段として、表示部１３により帳票データを表示出力することとしてもよい。
【００４３】
次に、携帯端末３０ａ〜３０ｃについて説明する。
携帯端末３０ａ〜３０ｃは、薬剤師により携帯されるものであり、通信機能を備えて薬局データ処理装置１０から処方箋データを受信して表示する。携帯端末３０ａ〜３０ｃとしては、例えばＰＤＡ（Personal Digital Assistant）や携帯電話等が適用可能である。
【００４４】
図７を参照して、携帯端末３０ａ〜３０ｃの内部構成について説明するが、携帯端末３０ａ〜３０ｃの基本構成は同一であるので、携帯端末３０ａを代表としてその構成説明を行うこととする。
【００４５】
図７は、携帯端末３０ａの内部構成を示す図である。
図７に示すように、携帯端末３０ａは、制御部３１、入力部３２、表示部３３、通信部３４、ＲＡＭ３５、記憶部３６から構成され、各部はバス３７により接続される。
【００４６】
制御部３１は、ＣＰＵ等から構成され、記憶部３６に格納されるシステムプログラムの他、本発明に係る処方箋入力処理プログラム（図８参照）、会計処理プログラム（図９参照）、会計結果表示処理プログラム（図１２参照）等をＲＡＭ３５に展開して、当該プログラムとの協働により処理動作を統括的に制御する。
【００４７】
制御部３１は、処方箋入力処理において、通信部３４を介して薬局データ処理装置１０から処方箋データを受信すると、当該処方箋データを処方箋データファイル３６４に格納する。
【００４８】
会計処理では、入力部３２を介して入力される薬剤師の認証情報又は薬剤師名と、薬剤師登録テーブル３６１に格納されている認証情報又は薬剤師名とを照合し、薬剤師の認証を行う。すなわち、会計処理プログラムに従って制御部３１において薬剤師の認証を行うことにより、認証手段を実現することができる。
【００４９】
また、会計結果表示処理では、通信部３４を介して薬局データ処理装置１０から会計情報を取得すると、当該会計情報を会計データファイル３６５に格納する。そして、入力部３２を介して領収された料金の内訳の表示指示が入力されると、会計情報に基づいて、領収された料金の内訳を表示部１３に表示させる。
【００５０】
入力部１２は、数字キー、文字キー、各種機能キー等のキー群や、表示部３３と一体に構成されるタッチパネルから構成され、押下されたキー又はタッチパネル上でタッチされた位置に応じた操作信号を制御部３１に出力する。この入力部１２を介して薬剤師の認証情報を入力したり、指導開始時間、指導終了時間の情報を入力したりすることにより入力手段を実現することができる。
【００５１】
表示部３３は、ＬＣＤから構成され、各種操作画面や処方箋データ、制御部３１による処理結果等の各種表示情報を表示する表示手段である。
【００５２】
通信部３４は、携帯電話やＰＨＳ（Personal Handy-phone System）等の通信端末を接続するためのインターフェイスやモデム、通信制御部等から構成される。通信時には、通信制御部により携帯電話又はＰＨＳの通信動作を制御して通信ネットワークＮ上の外部機器とデータの送受信を行う。この通信部３４を介して薬局データ処理装置１０から処方箋データや会計情報を受信したり、薬局データ処理装置１０に指導開始時間、指導終了時間の情報や、指導管理料金の情報として指導コードのデータを送信したりすることにより、受信手段及び送信手段を実現することができる。
【００５３】
ＲＡＭ３５は、制御部３１によって実行される各種プログラム及びこれらプログラムに係るデータを一時的に記憶するワークエリアを形成する。
【００５４】
記憶部３６は、半導体メモリ等から構成され、システムプログラムの他、処方箋入力処理プロラグラム、会計処理プログラム、会計結果表示処理プログラム及び各プログラムで処理されたデータ等を記憶する。
【００５５】
また、記憶部３６は、薬剤師登録テーブル３６１、指導管理項目テーブル３６２、患者マスタファイル３６３、処方箋データファイル３６４、指導データファイル３６５、会計データファイル３６６を格納する。
【００５６】
薬剤師登録テーブル３６１のデータ構成は、薬局データ処理装置１０の薬剤師登録テーブル１６１と、指導管理項目テーブル３６２のデータ構成は指導管理項目テーブル１６２と同一であるので、その図示及び説明は省略する。
【００５７】
また、患者マスタファイル３６３のデータ構成は、薬局データ処理装置１０の患者マスタファイル１６３と、処方箋データファイル３６４のデータ構成は処方箋データファイル１６４と、指導データファイル３６５のデータ構成は指導データファイル１６５と、会計データファイル３６６のデータ構成は会計データファイル１３６と同一であるので、その図示及び説明は省略する。
【００５８】
次に、本実施の形態における動作を説明する。
図８は、薬局データ処理システム１００により実行される処方箋入力処理を説明するフローチャートである。この処方箋入力処理は、薬局データ処理装置１０に入力された処方箋データを携帯端末３０ａ〜３０ｃに送信する処理である。なお、以下の説明では、薬局データ処理装置１０から携帯端末３０ａに処方箋データが送信される例を説明するが、携帯端末３０ｂ、３０ｃにおいても同様の処理が行われる。
【００５９】
図８に示す処方箋入力処理では、まず薬局データ処理装置１０においてオペレータにより処方箋データの入力が行われる。薬局データ処理装置１０では、入力部１２を介して処方箋データが入力されると（ステップＡ１）、制御部１１において入力された処方箋データに対して新規の受付番号が発行され、当該受付番号とともに処方箋データが処方箋データファイル１６４に格納される（ステップＡ２）。このとき、処方箋データとともに処方箋データの入力を受け付けた受付時間の情報が処方箋データファイル１６４に格納されることとする。
【００６０】
新規の処方箋データが格納されると、処方箋データが入力された年月日及び処方箋データに付与された受付番号から受付インデックスデータが制御部１１において生成され、受付インデックスフォルダ１５１に格納される（ステップＡ３）。
【００６１】
一方、携帯端末３０ａでは、一定時間毎に通信部３４により薬局データ処理装置１０へのアクセスが行われ、受付インデックスフォルダ１５１に格納される受付インデックスデータの読み込みが実行される（ステップＡ４）。次いで、薬局データ処理装置１０から読み込まれた受付インデックスデータと、携帯端末１０の受付インデックスフォルダ３５１に記憶されている受付インデックスデータとの照合が行われ、新規の受付インデックスデータの有無が判別される（ステップＡ５）。
【００６２】
新規の受付インデックスデータが無い場合は（ステップＡ５；Ｎ）、ステップＡ４に戻り、新規の受付インデックスデータが有る場合は（ステップＡ５；Ｙ）、新規の受付インデックスデータに対応する処方箋データを要求する要求情報が薬局データ処理装置１０に送信され、薬局データ処理装置１０では処方箋データファイル１６４から処方箋データが読み出されるとともに、その処方箋データに対応する指導情報が指導データファイル１６５から携帯端末３０ａに送信される（ステップＡ６）。携帯端末３０ａにおいて、処方箋データ及び指導情報が受信されると（ステップＡ７）、受信された処方箋データが処方箋データファイル３６４に格納され、指導情報が指導データファイル３６５に格納されて、本処理を終了する。
【００６３】
次に、図９に示すフローチャートを参照して、薬局データ処理システム１００において実行される会計処理について説明する。この会計処理は、処方箋データが携帯端末３０ａ〜３０ｃで受信された後に実行され、当該処方箋データに基づいて薬剤師により調剤及び指導業務が行われた後に、調剤料金及び指導管理料金の後算定を行う処理である。以下、薬局データ処理装置１０と携帯端末３０ａとにおいて会計処理が実行される例を説明するが、携帯端末３０ｂ、３０ｃにおいても同様の処理が実行される。
【００６４】
図９に示す会計処理では、まず携帯端末３０ａにおいて薬剤師を認証するための認証画面３３１（図１０（ａ）参照）が表示部３３に表示される。図１０（ａ）に示すように、認証画面３３１では、パスワード等の薬剤師の認証情報を入力するための入力領域ａ１及び薬剤師名を入力するための入力領域ａ２が表示され、その下部には数字キー、文字キー等のキー群ａ３が表示されている。
【００６５】
この認証画面３３１において、薬剤師により入力部３２を介して薬剤師の認証情報又は薬剤師名が入力されると（ステップＢ１）、携帯端末３０ａでは、薬剤師登録テーブル３６１に登録されている薬剤師の認証情報及び薬剤師名と、入力された薬剤師の認証情報及び薬剤師名との照合が制御部３１により行われ、薬剤師の認証が行われる。なお、認証は、認証情報のみ又は薬剤師名のみを用いて行ってもよいし、その組み合わせでもよい。
【００６６】
ステップＢ２では、薬剤師の認証情報又は薬剤師名が一致し、薬剤師が認証されたか否かが判別される。薬剤師の認証情報又は薬剤師名が一致せず、薬剤師が認証されなかった場合（ステップＢ２；Ｎ）、認証されなかったことを通知する認証エラーメッセージが表示部３３に表示され（ステップＢ３）、ステップＢ１に戻る。一方、薬剤師の認証情報又は薬剤師名が一致し、薬剤師が認証された場合（ステップＢ２；Ｙ）、ステップＢ４の処理に移行し、薬局データ処理装置１０から受信された処方箋データの表示が行われる。
【００６７】
ステップＢ４では、処方箋データファイル３６４から処方箋データが読み込まれるとともに、指導データファイル３６５から指導情報が読み込まれ、当該処方箋データ及び指導情報に基づいて、処方箋データが受け付けられた患者が一覧表示された患者選択画面３３２（図１０（ｂ）参照）が表示部３３に表示される。図１０（ｂ）に示すように、患者選択画面３３２では、未会計で処方待ちをしている患者一覧ｂ１と、処方済みで会計も終えている患者一覧ｂ２とに分けて表示される。また、画面下部には、ステップＢ２で認証された薬剤師の氏名ｂ３１及び薬剤師コードｂ３２が表示される。
【００６８】
処方待ちの患者一覧ｂ１では、処方箋データの受付番号ｂ１１、患者名ｂ１２、受付時間ｂ１３、受付時間から現在時間までの経過時間ｂ１４が表示される。このとき、指導データファイル３６５において指導開始時間が書き込まれている、つまり他の薬剤師により調剤及び服薬指導が開始されている患者には、経過時間ｂ１４にその担当薬剤師名（図中で示す“Ｙ”）が表示される。また、他の薬剤師により既に指導が開始されている患者は先頭部分にチェックマークｂ１５が付される等して他の患者とは識別表示され、この患者が選択されても無効になるなど選択不可能な状態に設定される。
【００６９】
一方、処方済みの患者一覧ｂ２では、指導データファイル３６５において指導終了時間が書き込まれている、つまり処方が終了した処方箋データが一覧表示され、処方箋データの受付番号ｂ２１、患者名ｂ２２、受付時間ｂ２３、処方を担当した薬剤師名ｂ２４の各情報が表示される。
【００７０】
薬剤師は、この患者選択画面３３２において、処方待ち患者一覧ｂ１の中から担当する患者を選択するが、選択時には経過時間ｂ１４を参照して経過時間が長い患者から選択する等、経過時間の情報を患者選択の参考情報とすることができる。携帯端末３０ａでは、入力部３２を介して何れかの患者が選択入力されると（ステップＢ５）、患者に対する服薬指導が開始されたことを通知する通知情報が制御部３１において生成される。通知情報には、選択された患者の処方箋データの受付番号の情報、ステップＢ２で認証された薬剤師のコードデータ、指導開始時間として現在時間の情報が含まれる。つまり、入力部１２を介して後算定対象の患者を選択入力すると同時に指導開始時間が指定入力されたこととなる。生成された通知情報は、通信部３４を介して薬局データ処理装置１０に送信される（ステップＢ６）。
【００７１】
薬局データ処理装置１０では、携帯端末３０ａから指導が開始されたことを通知する通知情報が受信されると、制御部１１により指導開始時間、担当薬剤師コードの情報が指導データファイル１６５の指定された受付番号に対応する各項目に書き込まれる（ステップＢ７）。
【００７２】
携帯端末３０ａでは、通知情報の送信後、指導管理料金の指導項目を選択するための後算定画面３３３（図１１（ａ）参照）が表示部３３に表示される。図１１（ａ）に示すように、後算定画面３３３では、患者選択画面３３２において選択された患者の患者情報ｃ１が患者マスタファイル３６３から読み出されて表示される。患者情報ｃ１の表示領域には、処方表示キーｃ２が表示され、この処方表示キーｃ２が押下されると、図１１（ｂ）に示す処方箋画面３３４が表示部３３に表示されて、処方される薬剤の種類、分量等の処方箋の詳細な内容が表示される。
【００７３】
また、患者情報の下部には指導管理料金の指導項目ｃ３が選択可能に一覧表示されている。画面下部には、各指導管理料金に関する詳細な説明（例えば、指導管理料金の加算条件等）を表示するよう指示するための説明キーｃ４、指導管理料金の指導項目の選択確定を指示するための確定キーｃ５、会計が終了した後に領収の内訳を表示するよう指示するための領収キーｃ６が表示されている。
【００７４】
この後算定画面３３３において、薬剤師が指導内容に応じて指導管理料金の指導項目を一又は複数選択入力し、選択した内容でよければ確定キーｃ５を押下すると、携帯端末３０ａでは、入力部３２を介して選択入力された指導管理料金の指導項目に対応する指導コード、指導終了時間として現在時間の情報が薬局データ処理装置１０に送信され、薬局データ処理装置１０の指導データファイル１６５において、後算定対象の処方箋データの受付番号に対応する各項目に書き込まれる（ステップＢ９）。つまり、入力部３２を介して指導管理料金の指導項目が選択入力されたと同時に、指導終了時間が指定入力されたこととなる。なお、本実施の形態では、指導管理料金の情報として指導コードデータを書き込む構成としたが、直接、指導管理料金の点数のデータを書き込むこととしてもよい。
【００７５】
次いで、携帯端末３０ａでは、制御部３１において指導管理料金の指導項目が選択入力され、その指導コードデータが指導データファイル１６５に書き込まれたことを示す後算定インデックスデータの生成が行われる。後算定インデックスデータは、現在の年月日及び後算定対象の処方箋データの受付番号から生成される。生成された後算定インデックスデータは、薬局データ処理装置１０の後算定インデックスフォルダ１５２に書き込まれる（ステップＢ１０）。
【００７６】
薬局データ処理装置１０では、一定時間毎に後算定インデックスフォルダ１５２から後算定インデックスデータの読み込みが行われ（ステップＢ１１）、新規の後算定インデックスデータの有無が判別される（ステップＢ１２）。新規の後算定インデックスデータが無い場合は（ステップＢ１２；Ｎ）、ステップＢ１１の処理に戻り、新規の後算定インデックスデータが有る場合は（ステップＢ１２；Ｙ）、当該後算定インデックスデータに含まれる受付番号をキーとして、指導データファイル１６５から指導コードが読み込まれる（ステップＢ１３）。
【００７７】
次いで、処方箋データに基づいて調剤料金（点数）が算出されるとともに、指導データファイル１６５から読み込まれた指導コードに応じた各指導項目の点数が指導管理項目テーブル１６２から読み出され、指導管理料金（点数）が算出される。そして、調剤料金及び指導管理料金の合計料金が算出され、算出された調剤料金、指導管理料金及びその合計料金の各料金情報が会計情報として、会計データファイル１６６に格納される（ステップＢ１４）。
【００７８】
次いで、制御部１１において会計データファイル１６６に格納された会計情報に基づいて所定の領収書フォームに従った領収書データが作成され、プリンタ１０ａに出力される。プリンタ１０ａでは、入力された領収書データに基づいて領収書の印刷出力が行われ（ステップＢ１５）、本処理を終了する。
【００７９】
次に、図１２に示すフローチャートを参照して、会計処理後に携帯端末３０ａ〜３０ｃで実行される会計結果表示処理を説明する。この会計結果表示処理は、薬局データ処理装置１０で算出された調剤料金及び指導管理料金の各料金情報を携帯端末３０ａ〜３０ｃにおいて表示する処理である。この処理の説明においても同様に、携帯端末３０ａを代表として説明を行う。また、説明の前提として、携帯端末３０ａの表示部３３には図１１（ａ）に示す後算定画面３３３が表示されていることとする。
【００８０】
図１２に示す会計結果表示処理では、まず薬局データ処理装置１０の会計データファイル１６６から会計情報が読み込まれ（ステップＣ１）、携帯端末３０ａの会計データファイル３６６に格納されている会計情報との照合により、新規の会計情報の有無が判別される（ステップＣ２）。
【００８１】
新規の会計情報が無い場合は（ステップＣ２；Ｎ）、ステップＣ１に戻り、新規の会計情報が有る場合は（ステップＣ２；Ｙ）、その新規分の会計情報を要求する要求情報が通信部３４を介して薬局データ処理装置１０に送信され、薬局データ処理装置１０から当該会計情報が受信されると、会計データファイル３６６に格納される（ステップＣ３）。
【００８２】
次いで、後算定画面３３３において、領収キーｃ６が押下されたか否かが判別される（ステップＣ４）。領収キーｃ６が押下されていない場合は（ステップＣ４；Ｎ）、本処理を終了し、領収キーｃ６が押下されている場合は（ステップＣ４；Ｙ）、会計情報フィル３６６から現在選択されている処方箋データの受付番号に対応する会計情報が読み出され、当該会計情報に基づいて、領収内容の詳細が表示された領収内訳画面が表示部３３に表示され（ステップＣ５）、本処理を終了する。
【００８３】
次に、図１３に示すフローチャートを参照して、会計処理後に薬局データ処理装置１０において実行される帳票出力処理を説明する。この帳票出力処理は、薬剤師による調剤業務を管理するための帳票を印刷するために、薬剤師毎に作業結果をまとめた帳票データを作成する処理である。
【００８４】
図１３に示す帳票出力処理では、まず指導データファイル１６５からデータが読み込まれ、どの薬剤師によりどの受付番号の処方箋データが担当されたのか、またその指導を行った指導時間（指導開始時間〜指導終了時間）、指導コードにより判別される指導項目等の指導内容を示す各情報が取得される（ステップＤ１）。次いで、処方箋データファイル１６４から処方箋データが読み込まれ、処方を受けた患者の患者ＩＤ及び調剤内容の情報が取得される（ステップＤ２）。
【００８５】
次いで、患者マスタファイル１６３からデータが読み込まれ、詳細な患者情報が取得されると（ステップＤ３）、会計データファイル１６６からデータが読み込まれ、調剤料金、指導管理料金の会計情報が取得される（ステップＤ４）。
【００８６】
各ファイル１６３〜１６６から各種情報が取得されると、制御部１１において、取得された各情報に基づき、薬剤師毎に、その薬剤師が担当した患者の患者情報、処方箋の調剤内容、指導内容、調剤及び服薬指導により算出された点数等の作業結果をまとめた帳票データが作成される（ステップＤ５）。
【００８７】
帳票データが作成されると、当該帳票データがプリンタ１０ａに出力され、プリンタ１０ａにおいて帳票データに基づく印刷出力が行われ（ステップＤ５）、本処理を終了する。
【００８８】
以上のように、薬局データ処理装置１０から携帯端末３０ａ〜３０ｃに処方箋データが送信され、携帯端末３０ａ〜３０Ｃにおいて、処方箋データに基づき後算定対象の患者が選択され指導内容に応じた指導管理料金の指導項目が選択されると、その指導コードデータが薬局データ処理装置１０に送信される構成としたので、薬剤師が携帯端末３０ａ〜３０ｃを携帯して患者の元で服薬指導を行った後、携帯端末３０ａ〜３０ｃにおいて指導内容に応じた指導管理料金の指導項目を選択入力する簡単な操作を行うだけで、後算定に必要な指導管理料金の情報（指導コードデータ）が薬局データ処理装置１０に自動的に送信され、薬局データ装置１０において後算定を行うことが可能となる。従って、薬局データ処理装置１０とは別に会計用の端末を設置することなく、簡素なシステム構成で処方箋受付から会計処理までの調剤作業を円滑に済ませることができ、作業効率を向上させることができる。
【００８９】
また、薬局データ処理装置１０では、処方箋データに基づいて調剤料金が算出されるとともに、携帯端末３０ａ〜３０ｃから送信された指導管理料金の情報に基づいて指導管理料金が算出され、算出された各料金情報は会計情報として携帯端末３０ａ〜３０Ｃに送信され、携帯端末３０ａ〜３０ｃにおいて会計情報が表示されるので、薬剤師は、移動先で領収の内訳を確認することができる。
【００９０】
また、携帯端末３０ａ〜３０ｃにおいて、処方箋データを表示する際には薬剤師の認証が行われるので、患者の個人情報や処方箋の内容等の個人的な情報の漏洩を防ぐことができ、薬局データ処理システム１００におけるセキュリティを向上させることができる。
【００９１】
さらに、携帯端末３０ａ〜３０ｃにおいて、処方箋データに基づいて受付患者一覧が表示される際には、受付時間からの経過時間が表示されるので、薬剤師は患者の待ち時間を把握することができる。また、他の薬剤師により既に担当されている患者は後算定対象の患者として選択不可能に設定され、その担当薬剤師名が合わせて表示されるので、薬剤師はどの薬剤師がどの患者を担当しているのか、薬局内における調剤状況を容易に把握することができる。また、同一の患者を重複して担当することを防ぐことができ、薬剤師が複数人いる場合でも調剤作業を円滑に行うことができる。
【００９２】
また、指導管理料金の指導項目を選択入力する後算定画面３３３では、説明キーｃ４を押下することにより、各指導項目の内容の詳細説明が表示されるので、薬剤師は容易な操作で指導管理料金の加算条件等の要件を把握することができる。
【００９３】
また、携帯端末３０ａ〜３０ｃにおいて後算定対象の患者が選択入力された時間を指導開始時間、指導管理料金の指導項目が選択入力された時間を指導終了時間として指導データファイル１６５に書き込まれ、薬剤師による指導時間が管理されるので、薬剤師による指導業務の管理を行うことができる。
【００９４】
また、薬剤師毎に指導時間、指導項目等をまとめた帳票を印刷出力することができるので、薬剤師による調剤業務の状況を把握して薬剤師毎に調剤業務の管理を行うことができる。
【図面の簡単な説明】
【００９５】
【図１】本発明を適用した実施の形態における薬局データ処理システム１００のシステム構成を示す図である。
【図２】薬局データ処理装置１０の内部構成を示す図である。
【図３】（ａ）は受付インデックスフォルダ１５１のデータ構成例を示す図であり、（ｂ）は後算定インデックスフォルダ１５２のデータ構成例を示す図である。
【図４】（ａ）は薬剤師登録テーブル１６１のデータ構成例を示す図であり、（ｂ）は指導管理項目テーブル１６２のデータ構成例を示す図である。
【図５】（ａ）は患者マスタファイル１６３のデータ構成例を示す図であり、（ｂ）は処方箋データファイル１６４のデータ構成例を示す図である。
【図６】（ａ）は指導データファイル１６５のデータ構成例を示す図であり、（ｂ）は会計データファイル１６６のデータ構成例を示す図である。
【図７】携帯端末３０ａの内部構成を示す図である。
【図８】薬局データ処理システム１００で実行される処方箋入力処理を説明するフローチャートである。
【図９】薬局データ処理システム１００で実行される会計処理を説明するフローチャートである。
【図１０】会計処理時に携帯端末３０ａの表示部３３に表示される画面の遷移図である。
【図１１】会計処理時に携帯端末３０ａの表示部３３に表示される画面の遷移図である。
【図１２】携帯端末３０ａにより実行される会計結果表示処理を説明するフローチャートである。
【図１３】薬局データ処理装置により実行される帳票出力処理を説明するフローチャートである。
【符号の説明】
【００９６】
１００    薬局データ処理システム
１０    薬局データ処理装置
１１    制御部
１２    入力部
１３    表示部
１４    通信部
１５    ＲＡＭ
１５１    受付インデックスフォルダ
１５２    後算定インデックスフォルダ
１６    記憶部
１６１    薬剤師登録テーブル
１６２    指導管理項目テーブル
１６３    患者マスタファイル
１６４    処方箋データファイル
１６５    指導データファイル
１６６    会計データファイル
１７    Ｉ／Ｆ
１０ａ    プリンタ
３０ａ〜３０ｃ    携帯端末
３１    制御部
３２    入力部
３３    表示部
３４    通信部
３５    ＲＡＭ
３６    記憶部
３６１    薬剤師登録テーブル
３６２    指導管理項目テーブル
３６３    患者マスタファイル
３６４    処方箋データファイル
３６５    指導データファイル
３６６    会計データファイル
【図１】
2005025666.tif 000003
【図２】
2005025666.tif 000004
【図３】
2005025666.tif 000005
【図４】
2005025666.tif 000006
【図５】
2005025666.tif 000007
【図６】
2005025666.tif 000008
【図７】
2005025666.tif 000009
【図８】
2005025666.tif 000010
【図９】
2005025666.tif 000011
【図１０】
2005025666.tif 000012
【図１１】
2005025666.tif 000013
【図１２】
2005025666.tif 000014
【図１３】
2005025666.tif 000015